(57)【要約】      （修正有）【課題】走行補助器の操作上の利便性を向上し、自転車の騎乗時の安全性を高めることができる、自転車走行補助装置を提供する。【解決手段】自転車走行補助装置は、コントローラ１０、少なくとも１つの走行補助器２１、及び前記走行補助器２１に接続した少なくとも１つの無線信号アダプタ３１を含み、主に使用者が自転車に騎乗しながら同時に走行補助器２１を使用しなければならないとき、コントローラ１０が発するＲＦ信号を利用して走行補助器２１の関連制御機能を起動し、走行補助器２１の操作の利便性を向上するだけでなく、自転車の騎乗時の安全性を高めることができる。【選択図】図２
0003149542.tif 000002
【実用新案登録請求の範囲】
【請求項１】
自転車走行補助装置であって、コントローラと、第一走行補助器と、第一無線信号アダプタを含み、
前記コントローラは第一RF無線モジュールを備え、前記第一RF無線モジュールの動作に必要な電源を供給する電池が設置され、前記第一RF無線モジュールを作動させRF信号を発信するための少なくとも１つのスイッチが設置され、
前記第一走行補助器が方向指示灯であり、
前記第一無線信号アダプタは前記第一走行補助器内に設置され、第二RF無線モジュールを備え、
前記コントローラのスイッチが起動されると、RF信号が持続的に発信され、前記第一走行補助器が前記第一無線信号アダプタを介して前記RF信号を受信した後、同期して関連機能が起動されることを特徴とする、自転車走行補助装置。
【請求項２】
自転車走行補助装置であって、コントローラと、第二走行補助器と、第二無線信号アダプタを含み、
前記コントローラは第一RF無線モジュールを備え、前記第一RF無線モジュールの動作に必要な電源を供給する電池が設置され、前記第一RF無線モジュールを作動させRF信号を発信するための少なくとも１つのスイッチが設置され、
前記第二走行補助器が無線通話装置であり、
前記第二無線信号アダプタは前記第一走行補助器内に設置され、第三RF無線モジュールを備え、
前記コントローラのスイッチが起動されると、RF信号が持続的に発信され、前記第二走行補助器が前記第二無線信号アダプタを介して前記RF信号を受信した後、同期して関連機能が起動され、そのうち、前記第二無線信号アダプタ内の第三RF無線モジュールが双方向の信号受発信機能を具備し、無線音声送受信装置と組み合わせて使用でき、前記第二走行補助器と前記無線音声送受信装置間の音声信号伝送を構成することを特徴とする、自転車走行補助装置。
【請求項３】
自転車走行補助装置であって、コントローラと、第一走行補助器と、第一無線信号アダプタと、第二走行補助器と、第二無線信号アダプタを含み、
前記コントローラは第一RF無線モジュールを備え、前記第一RF無線モジュールの動作に必要な電源を供給する電池が設置され、前記第一RF無線モジュールを作動させRF信号を発信するための少なくとも１つのスイッチが設置され、
前記第一走行補助器が方向指示灯であり、
前記第一無線信号アダプタは前記第一走行補助器内に設置され、第二RF無線モジュールを備え、
前記第二走行補助器が無線通話装置であり、
前記第二無線信号アダプタは、前記第一走行補助器内に設置され、第三RF無線モジュールを備え、
前記コントローラのスイッチが起動されると、RF信号が持続的に発信され、前記第二走行補助器が前記第二無線信号アダプタを介して前記RF信号を受信した後、同期して関連機能が起動され、そのうち、前記第二無線信号アダプタ内の第三RF無線モジュールが双方向の信号受発信機能を具備し、無線音声送受信装置と組み合わせて使用でき、前記第二走行補助器と前記無線音声送受信装置間の音声信号伝送を構成することを特徴とする、自転車走行補助装置。
【請求項４】
前記第一走行補助器内部に前記第一無線信号アダプタを作動させて警報信号を発信させるために用いるセンサスイッチと、前記センサスイッチの回路導通の可否を構成するために用いる警報機能スイッチが設置され、前記コントローラ上に合わせて警報表示器が設置され、前記警報表示器は前記コントローラ上の第一RF無線モジュールから前記第二RF無線モジュールが発信する警報信号を受信して起動されることを特徴とする、請求項１乃至３のいずれかに記載の自転車走行補助装置。
【請求項５】
前記警報表示器がブザー、発光ダイオードまたはブザーと発光ダイオードの組み合わせのうちのいずれかであることを特徴とする、請求項４に記載の自転車走行補助装置。
【考案の詳細な説明】
【技術分野】
【０００１】
本考案は走行補助装置に関し、主に自転車の方向指示灯、無線通話装置等の走行補助器の操作の利便性を向上し、かつ自転車の騎乗時の安全性を高めることができる、自転車走行補助装置に関する。
【背景技術】
【０００２】
自転車そのものの構造、配備は比較的簡単であり、多くに図１に示すような反射板１が設置されているものの、この反射板１の光の反射効果は受動的なものであり、その反射警告作用は自動車やオートバイの発光警告作用のように積極的に発揮させることができないため、安全上かえって多くの危険が増加してしまっている。相対して、自転車に走行補助器を取り付けることの重要性がより顕著になっている。
【０００３】
実際の使用時は、安全灯、ヘッドライト、方向指示灯、さらには無線通話装置などが一般的に自転車に乗るときに使用に供される走行補助器であり、これら走行補助器のうち、安全灯、ヘッドライトは常態動作の走行補助器に属し、方向指示灯及び無線通話装置は適時に操作が必要な走行補助器に属する。例えば、方向指示灯は方向転換時に操作者がいずれかの方向の指示灯を点灯させるよう切り換え、方向転換が完了した後、点灯させた指示灯を消灯させる。
【０００４】
また、無線通話装置の発話機能はトランシーバ上の通話ボタンをしばらく押したままにすることで作動させる必要があり、これでは走行補助器の使用上不便であるだけでなく、特に走行補助器の操作機能を制御する必要があるためにかえって危険を招いてしまう可能性がある。
【考案の概要】
【考案が解決しようとする課題】
【０００５】
この問題に鑑みて、本考案の主な目的は、走行補助器の操作上の利便性を向上し、自転車の騎乗時の安全性を高めることができる、自転車走行補助装置を提供することにある。
【課題を解決するための手段】
【０００６】
上述の目的を達するため、本考案の自転車走行補助装置は、主にコントローラ、少なくとも１つの走行補助器、及び前記走行補助器に接続された少なくとも１つの無線信号アダプタを含み、前記コントローラは使用者が長押しまたは切り換えると、RF信号を持続的に送信することができ、前記走行補助器は前記無線信号アダプタを介して前記RF信号を受信し、同期してその関連機能を起動することができる。
【考案の効果】
【０００７】
これにより、使用者が自転車の騎乗操作をしながら方向指示灯や無線通話装置等の走行補助器を操作する必要があるとき、コントローラが発するRF信号を利用して走行補助器の関連機能を起動することができ、走行補助器の操作の利便性を向上するだけでなく、自転車の騎乗時の安全性を高めることができる。
【図面の簡単な説明】
【０００８】
【図１】一般の自転車に設置される反射板の立体外観図である。
【図２】本考案を自転車に取り付けたときの使用状態を示す立体図である。
【図３】本考案の実施例１の構成を示すブロック図である。
【図４】本考案の実施例１のコントローラ立体外観図である。
【図５】本考案の実施例２の構成を示すブロック図である。
【図６】本考案の実施例２のコントローラ立体外観図である。
【図７】本考案の実施例３の構成を示すブロック図である。
【図８】本考案の実施例３のコントローラの立体外観図である。
【図９】本考案のさらに別の実施例の構成を示すブロック図である。
【図１０】本考案のコントローラの警報表示器の作動状態を示す立体図である。
【考案を実施するための形態】
【０００９】
図２に示すように、本考案の自転車走行補助装置は主に、コントローラ１０、少なくとも１つの走行補助器（図中の第一走行補助器２１など）、及び少なくとも１つの無線信号アダプタ（図中の第一無線信号アダプタ３１など）を含み、そのうち、前記無線信号アダプタは内蔵または外部接続方式で前記走行補助器に接続され、前記コントローラ１０は使用者が自転車５０のハンドル５１等便利に手が届く位置に設置し、使用者が自転車に騎乗しながら同時に前記少なくとも１つの走行補助器を操作する必要があるとき、コントローラ１０が発するRF信号を利用して前記少なくとも１つの走行補助器の関連制御機能を起動させることができる。
【００１０】
本考案の走行補助装置の実施時は、主に次の３種類の実施方式がある。
【実施例１】
【００１１】
図２から図４に示すように、本考案の実施例１は、全体の自転車走行補助装置がコントローラ１０、第一走行補助器２１、及び第一無線信号アダプタ３１を含み、前記第一走行補助器２１は電池（図では省略する）を装備した方向指示灯とすることができ、前記第一無線信号アダプタ３１は前記第一走行補助器２１（方向指示灯）に内蔵され、前記第一走行補助器２１（方向指示灯）に接続される。
【００１２】
前記コントローラ１０は内部にRF信号の発信に用いる第一RF無線モジュール１１が設置され、また別途設置した電池１２で前記第一RF無線モジュール１１の動作に必要な電源を供給し、さらに前記第一RF無線モジュール１１にRF信号を発信させるための少なくとも１つのスイッチ１３が設けられ、コントローラ１０全体は面ファスナーから成るベルト１５で自転車５０のハンドル５１上に固定することができる。
【００１３】
前記第一無線信号アダプタ３１はRF信号の受信に用いる第二RF無線モジュール３１１が設置され、前記第一走行補助器２１（方向指示灯）に設置された電池が前記第二RF無線モジュール３１１の動作に必要な電源を供給する。無線リモート制御方式を利用し、コントローラ１０で方向指示灯（第一走行補助器２１）の動作を制御して、その他道路の使用者に走行方向を知らせ、自転車走行時の安全を高めることができる。
【実施例２】
【００１４】
図５と図６に本考案の実施例２を示す。全体の自転車走行補助装置がコントローラ１０、第二走行補助器２２、及び第二無線信号アダプタ３２を含み、前記第二走行補助器２２は無線通話装置とすることができ、前記第二無線信号アダプタ３２は前記第二走行補助器２２に差し込んで接続する（即ち無線通話装置の差込孔に接続する）方式で前記第二走行補助器２２（無線通話装置）に接続される。前記コントローラ１０内部には同様にRF信号の発信に用いる第一RF無線モジュール１１が設置され、また別途設置した電池１２で前記第一RF無線モジュール１１の動作に必要な電源を供給し、さらに前記第一RF無線モジュール１１にRF信号を発信させるための少なくとも１つのスイッチ１３が設けられる。
【００１５】
前記第二無線信号アダプタ３２はRF信号の受信に用いる第三RF無線モジュール３２１が設置され、前記第二走行補助器２２（無線通話装置）に設置された電池が前記第三RF無線モジュール３２１の動作に必要な電源を供給する。無線リモート制御方式を利用し、コントローラ１０で無線通話装置（第二走行補助器２２）の発話機能を制御することができる。
【実施例３】
【００１６】
図７と図８に本考案の実施例３を示す。全体の自転車走行補助装置がコントローラ１０、第一走行補助器２１、第二走行補助器２２、第一無線信号アダプタ３１、及び第二無線信号アダプタ３２を含み、前記第一走行補助器２１は電池（図では省略する）を装備した方向指示灯とすることができ、前記第一無線信号アダプタ３１は前記第一走行補助器２１（方向指示灯）に内蔵され、前記第一走行補助器２１（方向指示灯）に接続される。
【００１７】
前記第二走行補助器２２は無線通話装置とすることができ、前記第二無線信号アダプタ３２は前記第二走行補助器２２に差し込んで接続する（即ち無線通話装置の差込孔に接続する）方式で前記第二走行補助器２２（無線通話装置）に接続される。前記コントローラ１０内部にはRF信号の発信に用いる第一RF無線モジュール１１が設置され、また別途設置した電池１２で前記第一RF無線モジュール１１の動作に必要な電源を供給し、さらに前記第一RF無線モジュール１１にRF信号を発信させるための少なくとも１つのスイッチ１３が設けられる。
【００１８】
前記第一無線信号アダプタ３１はRF信号の受信に用いる第二RF無線モジュール３１１が設置され、前記第一走行補助器２１（方向指示灯）に設置された電池が前記第二RF無線モジュール３１１の動作に必要な電源を供給する。前記第二無線信号アダプタ３２はRF信号の受信に用いる第三RF無線モジュール３２１が設置され、前記第二走行補助器２２（無線通話装置）に設置された電池が前記第三RF無線モジュール３２１の動作に必要な電源を供給する。無線リモート制御方式を利用し、コントローラ１０で無線通話装置（第二走行補助器２２）の発話機能を制御することができ、及びコントローラ１０で方向指示灯（第一走行補助器２１）の動作を制御することができる。
【００１９】
当然、具体的な実施時には、上掲の前記第二走行補助器２２（無線通話装置）の接続に供する第二無線信号アダプタ３２の中の第三RF無線モジュール３２１は、双方向信号受発信機能を装備していてもよく、図９に示すように、無線音声送受信装置４０（ブルートゥースイヤホンとマイク）と組み合わせて使用し、前記第二走行補助器２２（無線通話装置）と前記無線音声送受信装置４０（ブルートゥースイヤホンとマイク）間の音声信号伝送を構成するために用い、第二走行補助器２２（無線通話装置）の使用時の利便性を補助的に向上することができる。
【００２０】
さらに、図２及び図１０に示すように、前記第一走行補助器２１（方向指示灯）内部には、前記第一無線信号アダプタ３１を作動させて警報信号を発信させるために用いるセンサスイッチ２１１、及び前記センサスイッチ２１１の回路導通の可否を構成するために用いる警報機能スイッチ２１２を別途設置することができる。また、前記コントローラ１０上に合わせて警報表示器１４を設置してもよく、前記警報表示器１４はブザー、発光ダイオードまたはそれらの組み合わせとすることができる。前記コントローラ１０の中の第一RF無線モジュール１１及び前記第一走行補助器２１（方向指示灯）の中に内蔵された第一無線信号アダプタ３１の第二RF無線モジュール３１１は同様に双方向信号受発信機能を装備することができる。
【００２１】
自転車走行補助装置全体は自転車を停めた後、使用者が前記第一走行補助器２１（方向指示灯）上の警報機能スイッチ２１２を入れ、且つコントローラ１０をハンドル上から取り外して携帯する。自転車が任意に移動された場合、前記第一走行補助器２１（方向指示灯）上のセンサスイッチ２１１がオンになり、且つ前記第二RF無線モジュール３１１を作動させて前記コントローラ１０に警報信号を発信し、前記警報信号が前記コントローラ１０上の警報表示器１４を作動させ、使用者に前記自転車がすでに任意に移動されたことを知らせ、自転車が破壊されたり、盗難に遭ったりするのを防止することができる。また、使用者が自転車に乗るときは、前記第一走行補助器２１（方向指示灯）上の警報機能スイッチ２１２をオフにしてセンサスイッチ２１１が作動し電池の電力を消耗してしまうことがないようにすることができる。
【符号の説明】
【００２２】
１        反射板
１０      コントローラ
１１      第一RF無線モジュール
１２      電池
１３      スイッチ
１４      警報表示器
１５      ベルト
２１      第一走行補助器
２１１    センサスイッチ
２１２    警報機能スイッチ
２２      第二走行補助器
３１      第一無線信号アダプタ
３１１    第二RF無線モジュール
３２      第二無線信号アダプタ
３２１    第三RF無線モジュール
４０      無線音声送受信装置（ブルートゥースイヤホンとマイク）
５０      自転車
５１      ハンドル
【図１】
0003149542.tif 000003
【図２】
0003149542.tif 000004
【図３】
0003149542.tif 000005
【図４】
0003149542.tif 000006
【図５】
0003149542.tif 000007
【図６】
0003149542.tif 000008
【図７】
0003149542.tif 000009
【図８】
0003149542.tif 000010
【図９】
0003149542.tif 000011
【図１０】
0003149542.tif 000012